(57)【特許請求の範囲】
【請求項１】
バッテリの残量を監視するバッテリ残量監視手段と、電話の発着信の履歴を記録する発着信履歴データと、通信相手のニックネーム、電話番号、メールアドレスを登録する電話帳データと、を少なくとも備えた携帯電話機において、前記バッテリ残量監視手段が、現在のバッテリ残量があらかじめ定めた閾値よりも低い電圧レベルまで低下したことを検知した際に、通話中の状態にあった場合には、前記発着信履歴データ中から最新に記録された電話番号および／またはニックネームを取得し、取得した電話番号および／またはニックネームに対応するメールアドレスを、前記電話帳データを検索することにより抽出し、前記最新の電話番号および／またはニックネームとして記録されている通話相手との通話を切断し、前記電話帳データから抽出した前記メールアドレスを送信先のメールアドレスとして、前記通話相手に対してバッテリの残量が低下したために通話が切断された旨を示す電子メールをバッテリ切れお知らせメールとして送信し、バッテリを充電して再起動した際に、先に送信した前記バッテリ切れお知らせメールの送信成功・失敗に関する情報を少なくとも含む情報を表示することを特徴とする携帯電話機。
【請求項２】
現在のバッテリ残量が前記閾値よりも低い電圧レベルまで低下したことを検知した際に、前記バッテリ切れお知らせメールを送信する動作を有効とするか否かをユーザがあらかじめ設定することができることを特徴とする請求項１に記載の携帯電話機。
【請求項３】
前記バッテリ切れお知らせメールのタイトル、本文を、ユーザが任意に作成して、あらかじめ設定登録することができることを特徴とする請求項１ないし２のいずれかに記載の携帯電話機。
【請求項４】
前記バッテリ切れお知らせメールの送信先として、現在通話中の通話相手以外に、ユーザが１ないし複数の送信先を任意に指定してあらかじめ登録することができることを特徴とする請求項１ないし３のいずれかに記載の携帯電話機。
【請求項５】
携帯電話機の現在のバッテリ残量があらかじめ定めた閾値よりも低い電圧レベルまで低下したことを検知した際に、当該携帯電話機が通話中の状態にあった場合には、当該携帯電話機の発着信履歴データ中から最新に記録された電話番号および／またはニックネームを取得し、取得した電話番号および／またはニックネームに対応するメールアドレスを、前記電話帳データを検索することにより抽出し、前記最新の電話番号および／またはニックネームとして記録されている通話相手との通話を切断し、前記電話帳データから抽出した前記メールアドレスを送信先のメールアドレスとして、前記通話相手に対してバッテリの残量が低下したために通話が切断された旨を示す電子メールをバッテリ切れお知らせメールとして当該携帯電話機から送信し、携帯電話機のバッテリを充電して再起動した際に、先に送信した前記バッテリ切れお知らせメールの送信成功・失敗に関する情報を少なくとも含む情報を当該携帯電話機に表示することを特徴とするバッテリ切れ通知方法。
【請求項６】
請求項５記載のバッテリ切れ通知方法を、コンピュータにより実行可能なプログラムとして実施していることを特徴とするバッテリ切れ通知プログラム。
【請求項７】
請求項６に記載のバッテリ切れ通知プログラムを、コンピュータにより読み取り可能な記録媒体に記録していることを特徴とするプログラム記録媒体。
【発明の詳細な説明】
【技術分野】
【０００１】
本発明は、携帯電話機、バッテリ切れ通知方法、バッテリ切れ通知プログラムおよびプログラム記録媒体に関する。
【背景技術】
【０００２】
携帯電話機は、特許文献１の特開２００１−２６８１８３号公報「バッテリ・アラーム機能付き携帯電話機」や特許文献２の特開２００２−７８０２２号公報「携帯電話機用バッテリ交換サービスの照会システム」にも示すように、バッテリを電源としており、該バッテリの残量がなくなると、携帯電話機の現在の使用状態の如何に関わらず、通話機能をはじめとして、当該携帯電話機のすべての機能が停止した状態になり、当該携帯電話機を再度使用可能な状態にするためには、残量がなくなったバッテリの充電を行うことが必要である。
【特許文献１】特開２００１−２６８１８３号公報（第２−３頁）
【特許文献２】特開２００２−７８０２２号公報（第２−３頁）
【発明の開示】
【発明が解決しようとする課題】
【０００３】
従来の携帯電話機においては、前述したように、通話中に急にバッテリ切れとなって、通話が切断してしまった場合、通話相手は、なぜ通話が切断してしまったのか、あるいは、なぜ相手の携帯電話機の電源が入っていない状態になったのかが分からず、不快感や不安感を抱いてしまう。一方、携帯電話機のバッテリ切れが発生した側においても、携帯電話機を再起動することができず、通話相手に連絡を取って、通話が途中で終了してしまった理由を伝えることができなかった。
【０００４】
本発明は、かかる事情に鑑みてなされたものであり、バッテリの残量があらかじめ定めた閾値よりも低い電圧レベルになった時点で、バッテリ切れの状態が発生したことを、通話相手に通知することが可能な携帯電話機、バッテリ切れ通知方法、バッテリ切れ通知プログラムおよびプログラム記録媒体を提供することを、その目的としている。
【課題を解決するための手段】
【０００５】
前述の課題を解決するため、本発明による携帯電話機、バッテリ切れ通知方法、バッテリ切れ通知プログラムおよびプログラム記録媒体は、次のような特徴的な構成を採用している。
【０００６】
（１）バッテリの残量を監視するバッテリ残量監視手段と、電話の発着信の履歴を記録する発着信履歴データと、通信相手のニックネーム、電話番号、メールアドレスを登録する電話帳データと、を少なくとも備えた携帯電話機において、前記バッテリ残量監視手段が、現在のバッテリ残量があらかじめ定めた閾値よりも低い電圧レベルまで低下したことを検知した際に、通話中の状態にあった場合には、前記発着信履歴データ中から最新に記録された電話番号および／またはニックネームを取得し、取得した電話番号および／またはニックネームに対応するメールアドレスを、前記電話帳データを検索することにより抽出し、前記最新の電話番号および／またはニックネームとして記録されている通話相手との通話を切断し、前記電話帳データから抽出した前記メールアドレスを送信先のメールアドレスとして、前記通話相手に対してバッテリの残量が低下したために通話が切断された旨を示す電子メールをバッテリ切れお知らせメールとして送信することを特徴とする携帯電話機。
【発明の効果】
【０００７】
本発明による携帯電話機、バッテリ切れ通知方法、バッテリ切れ通知プログラムおよびプログラム記録媒体によれば、以下のような効果を得ることができる。
【０００８】
携帯電話機の通話中の状態において、急にバッテリ切れが発生して通話が切断されてしまう場合においても、通話が切断してしまった理由を通話相手に通知することができるので、当該通話相手に不快感や不安感を抱かせる事態を未然に防止することができる。
【発明を実施するための最良の形態】
【０００９】
以下、本発明による携帯電話機、バッテリ切れ通知方法、バッテリ切れ通知プログラムおよびプログラム記録媒体の好適な実施形態について添付図を参照して説明する。なお、以下の説明においては、本発明による携帯電話機、バッテリ切れ通知方法について説明するが、かかるバッテリ切れ通知方法をコンピュータにより実行可能なバッテリ切れ通知プログラムとして実施するようにしても良いし、あるいは、バッテリ切れ通知プログラムをコンピュータにより読み取り可能な記録媒体に記録するようにしても良いことは言うまでもない。
【００１０】
（本発明の特徴）
携帯電話機の通話中において、バッテリ切れのために、通話が強制的に終了してしまった場合、バッテリ切れが原因で通話が終了したことを電子メールを用いて自動的に通話相手に対して通知する点に、その特徴を有している。
【００１１】
つまり、携帯電話機の通話中の状態において、バッテリ残量が少なくなって、あらかじめ定めた閾値よりも低い低電圧レベルになっていることを検知すると、現在の通話相手のメールアドレスを、携帯電話機内の電話帳データから探し出す。通話相手のメールアドレスが電話帳データに登録されていた場合には、現在の通話相手との通話を終了させるとともに、バッテリが切れて通話が終了してしまった旨を示すメール（すなわち、「バッテリ切れお知らせメール」）を、通話相手のメールアドレス宛に自動的に送信する。
【００１２】
ここで、バッテリ切れが発生した側の携帯電話機のバッテリを充電して、再度起動した際には、先に送信した「バッテリ切れお知らせメール」の送信日時、送信先、送信成功・失敗など、少なくとも、送信の成功・失敗に関する情報を含む情報を当該携帯電話機に表示することによって、通話が終了した理由が、先の通話相手に伝わっているか否かをユーザは確認することが可能となる。
【００１３】
また、通話中にバッテリ残量が前記閾値よりも低い低電圧レベルになっていることを検知した際に、「バッテリ切れお知らせメール」の送信先のメールアドレスを取得するためには、携帯電話機内の発着信履歴データのうち、最新のものの電話番号（現在の通話相手の電話番号を示している）を参照する。次に、携帯電話機内の電話帳データを検索して、参照した該電話番号が登録されている電話帳データを探し出し、当該電話番号に対応する電話帳データのメールアドレスを抽出する。しかる後、通話中の電話を切断するとともに、前記「バッテリ切れお知らせメール」を新規作成し、抽出したメールアドレス宛に送信する。かくのごとく、バッテリ残量が少なくなり、通話が切断された時点では、通話相手の携帯電話機のメールアドレス宛に、「バッテリ切れお知らせメール」が届き、通話が切断された理由を伝えることができる。
【００１４】
なお、該「バッテリ切れお知らせメール」のタイトル、本文については、ユーザが任意に作成してあらかじめ設定しておくことを可能としている。さらには、バッテリ残量があらかじめ定めた閾値よりも低い電圧レベルまで低下した際に、該「バッテリ切れお知らせメール」を送信する動作を有効にするか否かを、ユーザがあらかじめ設定しておくことも可能である。
【００１５】
（本発明の実施例の構成）
図１は、本発明による携帯電話機の動作イメージを説明するための接続構成図であり、ネットワークＦを介して接続される２つの携帯電話機Ａ，Ｂ間の接続構成の一例を示している。図１に示すように、携帯電話機Ａには、通常の携帯電話機と同様、電話の発着信を行った履歴を記録する発着信履歴データＣと頻繁に電話をする通話相手のニックネームや電話番号やメールアドレスをあらかじめ登録する電話帳データＤとが少なくとも備えられており、ネットワークＦを介して現在通話中の通話相手である携帯電話機Ｂの電話番号および／またはニックネームが、携帯電話機Ａの発着信履歴データＣ中の最新のデータとして記録されている。
【００１６】
さらに、携帯電話機Ａの電話帳データＤには、頻繁に通話や電子メールを行う相手として、携帯電話機Ｂのニックネームや電話番号やメールアドレスがあらかじめ登録されている。なお、携帯電話機Ａが携帯電話機Ｂと通話を行う場合には、ネットワークＦを介して両者の通話用のパスが形成されるが、携帯電話機Ａが携帯電話機Ｂに対してメール送信する場合には、ネットワークＦに接続されているメールサーバＥに転送されて、メールサーバＥにて一旦保存された後、一旦保存された携帯電話機Ａのメールが、メールサーバＥから、送信先の携帯電話機Ｂに対して配信される。
【００１７】
なお、携帯電話機Ａには、バッテリの残量を監視するバッテリ残量監視部Ｇがさらに備えられており、バッテリの電圧値があらかじめ定めた閾値よりも低い電圧レベルまで低下したことを検出した場合、その時点で通話状態にあった際には通話の切断を行うとともに、バッテリ切れが発生したため通話を切断した旨を通話相手に通知する動作を起動する。
【００１８】
ここで、当該携帯電話機Ａが携帯電話機Ｂと通話中の状態にある際に、バッテリ残量監視部Ｇが、バッテリの残量があらかじめ定めた閾値よりも低い電圧レベルまで低下したことを検知した場合、通話中の通話相手の携帯電話機Ｂに対してバッテリ切れによる通話切断の旨を通知する手段として、電子メールを用いることとし、バッテリ切れによる通話切断の旨を示すメールを、「バッテリ切れお知らせメール」として、メールサーバＥを介して、通話相手だった携帯電話機Ｂに対して送信する。
【００１９】
なお、一般に、メールの送受信動作は、通話動作に比し、必要とする電力つまりバッテリ容量を少なくすることができるので、通話可能な最低の電圧レベルとして設定された前記閾値よりもさらに低い電圧レベルまでバッテリ残量が低下してしまったとしても、「バッテリ切れお知らせメール」に関する電子メールの送信動作を行うことは可能である。
【００２０】
また、通話相手だった携帯電話機Ｂのメールアドレスを取得するためには、まず、発着信履歴データＣの中を検索して、最新の発着信履歴データを読み出して、現在まで通話中であった通話相手の携帯電話機Ｂの電話番号（および／または通話相手のニックネーム）を取得し、しかる後、最新の発着信履歴データとして取得した電話番号（および／または通話相手のニックネーム）によって、電話帳データＤを検索することによって、通話相手だった携帯電話機Ｂのメールアドレスを抽出するという動作を行う。
【００２１】
一方、バッテリ残量監視部Ｇにて、バッテリの残量があらかじめ定めた閾値よりも低い電圧レベルまで低下したことを検知したとしても、当該携帯電話機Ａが通話中の状態になっていなかった場合には、通話を切断したり、「バッテリ切れお知らせメール」の通知を行ったりする動作は実行しない。
【００２２】
（実施例の動作の説明）
本発明による携帯電話機の動作の一例について、図２のフローチャートを用いて、次に説明する。ここで、図２は、本発明による携帯電話機の動作の一例を示すフローチャートであり、図１に示すように、携帯電話機Ａが携帯電話機Ｂと通話中の状態にあった際の携帯電話機Ａにおける動作について、本発明のバッテリ切れ通知方法の一例として説明している。
【００２３】
なお、携帯電話機Ａにおいては、バッテリの残量があらかじめ定めた閾値よりも低い電圧レベルまで低下して、バッテリ切れが発生したことが検知された際に、通話相手にバッテリ切れのため通話を強制的に終了した旨を通知するという「バッテリ切れお知らせメール」を電子メールとして送信するという設定を、ユーザは、あらかじめ、有効な状態にしておくことが必要である。同時に、該「バッテリ切れお知らせメール」のタイトルと本文とを、任意に編集して、あらかじめ格納しておくことが必要である。ただし、この両者については、携帯電話機のデフォルト設定状態における初期値として、それぞれ、有効な状態が、また、通知に必要な最低限のメールのタイトル、本文の情報が、あらかじめ、設定登録されている。
【００２４】
かかる状態に設定した後、携帯電話機Ａは、例えば、携帯電話機Ｂとの間の通話を開始する。ここで、携帯電話機Ａのバッテリ残量監視部Ｇは、バッテリの残量が、通話可能な電圧レベルとしてあらかじめ定めた閾値よりも低い低電圧レベルになっているか否かを監視しており、該閾値よりもバッテリ残量が低くなったことを即座に検知可能としている。
【００２５】
携帯電話機Ａのバッテリ残量が前記閾値よりも低い低電圧レベルに達していない場合には（ステップＳ１のＮＯ）、そのまま、携帯電話機Ｂとの通話状態を継続するが、一方、バッテリ残量監視部Ｇが、バッテリ残量が前記閾値よりも低い低電圧レベルになったことを検知した場合には（ステップＳ１のＹＥＳ）、「バッテリ切れお知らせメール」を送信するという設定が有効になっているか否かを確認する（ステップＳ２）。
【００２６】
「バッテリ切れお知らせメール」を送信する設定が無効であった場合には（ステップＳ２のＮＯ）、バッテリ残量が通話不能の状態になるまで、そのまま、携帯電話機Ｂとの通話状態を継続するのみで、通話相手の携帯電話機Ｂに対して何も通知しない。一方、「バッテリ切れお知らせメール」を送信する設定が有効であった場合には（ステップＳ２のＹＥＳ）、当該携帯電話機Ａ内の発着信履歴データＣを検索して、発着信履歴データＣ中の最新の電話番号（および／または通話相手のニックネーム）を参照する（ステップＳ３）。ここで、発着信履歴データＣ中の最新の電話番号（および／または通話相手のニックネーム）とは、現在まで通話中の状態にある携帯電話機Ｂの電話番号（および／または通話相手のニックネーム）を示している。
【００２７】
次に、発着信履歴データＣ中にある最新の電話番号（および／または通話相手のニックネーム）つまり現在まで通話中の状態にある携帯電話機Ｂの電話番号（および／または通話相手のニックネーム）と一致するものを、当該携帯電話機Ａ内の電話帳データＤの中から検索し、電話帳データＤの中から検索した電話番号（および／または通話相手のニックネーム）に対応して記録されている携帯電話機Ｂのメールアドレスを抽出する（ステップＳ４）。ここで、携帯電話機Ｂの電話番号（および／または通話相手のニックネーム）が電話帳データＤに登録されていなかった場合には、次のステップＳ５の動作を行わないで、そのまま、終了する。
【００２８】
電話帳データＤの中から携帯電話機Ｂのメールアドレスが抽出された場合には、現在まで通話中の状態にあった携帯電話機Ｂとの通話を強制的に切断するとともに、通話が不可能になる理由としてバッテリ切れが生じた旨を示す「バッテリ切れお知らせメール」を新規に作成して、電話帳データＤの中から抽出した携帯電話機Ｂのメールアドレス宛に送信する（ステップＳ５）。携帯電話機Ａから送信された「バッテリ切れお知らせメール」は、ネットワークＦを介してメールサーバＥに転送される。しかる後、メールサーバＥから、今までの通話相手であった携帯電話機Ｂのメールアドレス宛に、携帯電話機Ａからの「バッテリ切れお知らせメール」が配信される。
【００２９】
以上の動作を実施した後、バッテリ切れが発生した携帯電話機Ａのバッテリ充電が行われて、ユーザが携帯電話機Ａを再起動すると、先に、携帯電話機Ｂ向けに送信した「バッテリ切れお知らせメール」の送信日時、送信先、送信成功・失敗など、少なくとも、送信の成功・失敗に関する情報を含む情報が画面表示されるので、ユーザは、その状況を確認することができる。
【００３０】
なお、前述した実施例においては、メール送信動作に必要とする携帯電話機Ａのバッテリ残量を確保するために、ステップＳ５において「バッテリ切れお知らせメール」を携帯電話機Ｂに対して送信する時点で、携帯電話機Ｂとの通話を強制的に切断することによって、通話による携帯電話機Ａのバッテリ残量のさらなる消費を防ぐようにしているが、場合によっては、「バッテリ切れお知らせメール」を携帯電話機Ｂに対して送信する時点であっても、携帯電話機Ｂとの通話をそのまま継続することとし、携帯電話機Ａのバッテリ残量が通話状態を継続可能な電圧レベルよりもさらに低下して、通話状態が維持できなくなることによって、通話が切断されるという動作を行うようにしても良い。
【００３１】
（実施例の効果の説明）
携帯電話機の通話中の状態において、急にバッテリ切れが発生して通話が切断されてしまう場合においても、通話が切断してしまった理由を通話相手に通知することができるので、当該通話相手に不快感や不安感を抱かせる事態を未然に防止することができる。
【００３２】
（他の実施例）
前述の実施例において、「バッテリ切れお知らせメール」の本文やタイトルをあらかじめ編集して格納しておくが可能であるが、通話相手に対して、バッテリ切れが発生した際の緊急連絡先などを通知するように本文を編集しておくことも可能である。また、現在通話中の通話相手以外にも、バッテリが切れたことを通知したい相手を１ないし複数任意に指定してあらかじめ登録しておく機能を備えるようにして、通話中以外の理由でバッテリ切れとなった場合であっても、バッテリが切れていることを、通知したい１ないし複数の相手に対して通知することも可能である。
【００３３】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００３４】
（２）現在のバッテリ残量が前記閾値よりも低い電圧レベルまで低下したことを検知した際に、通話中の状態にあった場合には、前記発着信履歴データ中から最新に記録された電話番号および／またはニックネームを取得して、取得した電話番号および／またはニックネームに対応するメールアドレスを、前記電話帳データを検索することにより抽出して、前記電話帳データから抽出した該メールアドレスを、前記バッテリ切れお知らせメールの送信先のメールアドレスとする上記（１）の携帯電話機。
（３）前記発着信履歴データ中の最新の電話番号および／またはニックネームに対応するメールアドレスを前記電話帳データから抽出した際に、当該最新の電話番号および／またはニックネームとして記録されている通話相手との通話を切断する上記（２）の携帯電話機
（４）現在のバッテリ残量が前記閾値よりも低い電圧レベルまで低下したことを検知した際に、前記バッテリ切れお知らせメールを送信する動作を有効とするか否かをユーザがあらかじめ設定することができる上記（１）ないし（３）のいずれかの携帯電話機。
（５）前記バッテリ切れお知らせメールのタイトル、本文を、ユーザが任意に作成して、あらかじめ設定登録することができる上記（１）ないし（４）のいずれかの携帯電話機。
（６）前記バッテリ切れお知らせメールの送信先として、現在通話中の通話相手以外に、ユーザが１ないし複数の送信先を任意に指定してあらかじめ登録することができる上記（１）ないし（５）のいずれかの携帯電話機。
（７）バッテリを充電して再起動した際に、先に送信した前記バッテリ切れお知らせメールの送信成功・失敗に関する情報を少なくとも含む情報を表示する上記（１）ないし（６）のいずれかの携帯電話機。
（８）携帯電話機の現在のバッテリ残量があらかじめ定めた閾値よりも低い電圧レベルまで低下したことを検知した際に、当該携帯電話機が通話中の状態にあった場合には、現在通話中の状態にある通話相手に対してバッテリの残量が低下したために通話が切断された旨を示す電子メールをバッテリ切れお知らせメールとして当該携帯電話機から送信するバッテリ切れ通知方法。
（９）携帯電話機の現在のバッテリ残量が前記閾値よりも低い電圧レベルまで低下したことを検知した際に、当該携帯電話機が通話中の状態にあった場合には、当該携帯電話機の発着信履歴データ中から最新に記録された電話番号および／またはニックネームを取得して、取得した電話番号および／またはニックネームに対応するメールアドレスを、当該携帯電話機の電話帳データを検索することにより抽出して、前記電話帳データから抽出した該メールアドレスを、前記バッテリ切れお知らせメールの送信先のメールアドレスとする上記（８）のバッテリ切れ通知方法。
（１０）前記発着信履歴データ中の最新の電話番号および／またはニックネームに対応するメールアドレスを前記電話帳データから抽出した際に、当該最新の電話番号および／またはニックネームとして記録されている通話相手との通話を切断する上記（９）のバッテリ切れ通知方法。
（１１）携帯電話機のバッテリを充電して再起動した際に、先に送信した前記バッテリ切れお知らせメールの送信成功・失敗に関する情報を少なくとも含む情報を当該携帯電話機に表示する上記（８）ないし（１０）のいずれかのバッテリ切れ通知方法。
（１２）上記（８）ないし（１１）のいずれかのバッテリ切れ通知方法を、コンピュータにより実行可能なプログラムとして実施しているバッテリ切れ通知プログラム。
（１３）上記（１２）のバッテリ切れ通知プログラムを、コンピュータにより読み取り可能な記録媒体に記録しているプログラム記録媒体。
【図面の簡単な説明】
【００３５】
【図１】本発明による携帯電話機の動作イメージを説明するための接続構成図である。
【図２】本発明による携帯電話機の動作の一例を示すフローチャートである。
【符号の説明】
【００３６】
Ａ      携帯電話機
Ｂ      携帯電話機
Ｃ      発着信履歴データ
Ｄ      電話帳データ
Ｅ      メールサーバ
Ｆ      ネットワーク
Ｇ      バッテリ残量監視部
【図１】
0005217320.tif 000002
【図２】
0005217320.tif 000003